(57)【特許請求の範囲】
【請求項１】
１つのノードで一緒に接続された複数の遠隔端末を有し、および電話線を通じて該ノードに接続された中央局を有する個別マルチ・トーン通信システムにおいて、選択された遠隔端末からデータを送信する方法であって、
該中央局と該ノードに接続された該複数の遠隔端末の別のものとの間でのデータ送信活性を感知するステップと、
データ送信活性が感知されない場合に、該選択された遠隔端末からデータを送信するステップとを含むことを特徴とする方法。
【請求項２】
該感知するステップが、
該中央局からのデータ送信において下流ビジー・トーンが存在するかどうかを識別するステップと、
該中央局からのデータ送信において上流ビジー・トーンが存在するかどうか識別するステップとを含む請求項１記載の方法。
【請求項３】
下流ビジー・トーンを識別するステップが特定の下流周波数帯域の特定の個別周波数帯のトーンを識別するステップを含む請求項２記載の方法。
【請求項４】
該下流トーンを検出するステップがさらに検出されたトーンをビジー・トーン閾値と比較するステップを含む請求項３記載の方法。
【請求項５】
該上流ビジー・トーンを識別するステップがさらに特定の上流周波数帯域の特定の個別周波数帯のトーンを識別するステップを含む請求項２記載の方法。
【請求項６】
該上流トーンを検出するステップがさらに検出されたトーンをビジー・トーン閾値と比較するステップを含む請求項５記載の方法。
【請求項７】
該感知ステップが、
選択された帯域内の電力スペクトル密度を判定するステップと、
該判定された電力スペクトル密度を送信閾値と比較するステップとを含む請求項１の方法。
【請求項８】
該感知ステップがビジー・トーンが指定された個別周波数帯域内に存在するかどうかを確認することにより、該中央局と該複数の遠隔端末のうちの別のものとの間の接続開始段階での送信活性を感知するステップを含んでいる請求項１記載の方法。
【請求項９】
該感知ステップがさらに、該中央局と該複数の遠隔端末のうちの別のものとの間の送信の選択された帯域における電力スペクトル密度を判定することによって、接続のデータ送信フェーズにおける送信活性を感知するステップを含んでいる請求項８の方法。
【請求項１０】
さらに、データ送信活性が感知された場合は該選択された遠隔端末からのデータ送信を延期するステップを含む請求項１記載の方法。
【請求項１１】
選択された遠隔端末が中央局に接続されている個別マルチ・トーン通信システムにおいて、
電話線を通じて該中央局との間でデータを送受信するための個別のマルチ・トーン・トランシーバと、
該中央局と別の遠隔端末との間のデータ送信活性に応じて、該個別のマルチ・トーン・トランシーバからのデータの送信を制御するための制御装置
とを含むことを特徴とする選択された遠隔端末。
【請求項１２】
該個別のマルチ・トーン・トランシーバが該選択された遠隔端末を該中央局に結合させ、全二重データ送信を可能にする複合回路で構成されている請求項１１記載の選択された遠隔端末。
【請求項１３】
該個別マルチ・トーン・トランシーバがさらに送信パスと該複合回路に結合されＴ受信パスを含んでいる請求項１２記載の選択された遠隔端末。
【請求項１４】
該マルチ・トーン・トランシーバがさらに、該送信パスと該受信パスとの間の干渉を減少させるためのエコー・キャンセラーを含んでいる請求項１３による選択された遠隔端末。
【請求項１５】
該受信パスが、さらに
該複合回路からの受信アナログ・データ・ストリームの形をシェーピングするためのアナログ・フィルターと、
該シェーピング・アナログ・データ・ストリームをデジタル・データ・ストリームにマッピングするためのアナログ・フィルターに結合されているアナログ−デジタル・コンバータと、
受信されたアナログ・データ・ストリーム上のチャンネル歪みの影響をできるだけ少なくするためのイコライザ
とを含む請求項１３記載の選択された遠隔端末。
【請求項１６】
該制御装置が作動可能に該イコライザと結合されており、該制御装置が該中央局と別の遠隔端末との間のデータ送信活性を感知する請求項１５記載の選択された遠隔端末。
【請求項１７】
該制御装置が、データ送信活性が感知された場合に、該選択された遠隔端末からのデータ送信を遅らせるための手段を含んでいる請求項１１記載の選択された遠隔端末。
【請求項１８】
該マルチ・トーン・トランシーバが送信パスと受信パスを有しており、該制御装置が作動可能に該受信パスと結合されているので、該制御装置が該中央局と別の遠隔端末との間のデータ送信活性を感知することができる請求項１１記載の選択された遠隔端末。
【請求項１９】
該制御装置が指定された周波数帯域内のビジー・トーンを識別するためのプロセッサを含んでいる請求項１８記載の選択された遠隔端末。
【請求項２０】
該制御装置が、
選択された帯域名アイの該電力スペクトル密度を判定するための第一のプロセッサと、
該判定された電力スペクトル密度を送信閾値と比較する第二のプロセッサを含む請求項１８記載の選択された遠隔端末。
【発明の詳細な説明】
【０００１】
【発明の属する技術分野】
本発明は、個別マルチ・トーン（個々ではＤＭＴを称す）通信システムに関し、特に、個別マルチ・トーン通信システム上でのデータ送信を制御するための改良された装置及び方法に関する。
【０００２】
【従来の技術】
個別マルチ・トーン通信システムは多重トーンで符号化された情報を送信し、各トーンは異なった周波数を持つ変調搬送波信号に対応している。例えば、ＩＴＵＧ．９２２．１（Ｇ．ｄｍｔという名称でも知られている）標準に準拠したフル・レートＤＴＭシステムは１．１０４ＭＨｚの帯域幅に対応する２５５種類の異なったトーンを用いている。ハーフ・レートＤＭＴシステムと呼ばれる他のＤＭＴシステムはＩＴＵ  Ｇ．９２２．２（Ｇ．Ｌｉｔｅとも称す）標準に準拠しており、０．５５２ＭＨｚの帯域幅に対応する１２７種類の異なったトーンを使用している。ＤＭＴシステムはそれぞれの搬送波周波数が数ＫＨｚから１ＭＨｚ程度までの範囲にわたっている複数の音声帯域モデム（フル・レートＤＭＴの場合２５６モデム）のグループとして見ることができる。
【０００３】
Ｇ．ｄｍｔあるいはＧ．ｌｉｔｅ標準のいずれかに準拠した典型的な分散ＤＭＴシステムにおいては、クライアント（例えば、一般の人のパーソナル機器）から中央局（ここではＣＯと称す）へのアップストリーム通信のためにトーン＃１−３１が用意されている。残りのトーン（つまり、＃３２−２５５までのＧ．ｄｍｔ用のトーン）はＣＯからクライアントへのダウンストリーム送信のために確保されている。エコー・キャンセレーションが中央局とクライアントの両方でサポートされる場合、ＤＭＴシステムはトーン＃１−３１までがアップストリーム送信とダウンストリーム送信の両方に用いることができる重複スペクトル・モードで作動することができる。
【０００４】
【発明が解決しようとする課題】
各接続の開始時に、クライアントと中央局との間の各接続がデータモード送信（つまり、非初期化通信）中にどのトーンを用いることができるかを確認できるように一定の初期化操作（例えば、トランシーバ・トレーニング、チャンネル分析、メッセージ交換、及びビット・ローディング）が行われる。初期化の後、ＤＭＴシステムはデータの送信を開始できる。
【０００５】
公知のＤＭＴシステムは又そのＤＭＴシステムの初期化段階中のタイミング・リカバリーに役立てるようにパイロット・トーンを含むようにすることができる。パイロット・トーンはタイミング・リカバリーだけに使用される準搬送波を用いてインプリメントされる。特に、ＤＭＴシステムはクロック・ソースと呼ばれる１つのＤＭＴトランシーバでのパイロット・トーンの送信を行うことができ、そしてＤＭＴシステムはクロック受け入れ側と呼ばれるＤＭＴトランシーバの別の端末でそのパイロット・トーンを受信できるようにしている。そのパイロット・トーンをクロック受け入れ側でのクロックと比較することで、ＤＭＴシステムを同期化することができる。
【０００６】
ＤＭＴシステムは、通常プレイン・オールド・テレフォン・システム（ここではＰＯＴＳと称す）を接続するために使用されるツイスト・ペア電話ループを通じてＤＭＴトランシーバを中央局と接続することによりインプリメントすることができ、ＤＭＴシステムは同じツイスト・ペア・ケーブル上でＰＯＴＳサービスと共存するように設計することができる。デジタル加入者回線（以下ＤＳＬと称す）などにおけるように、ＰＰＯＴＳのための音声チャンネルをＤＭＴシステムによって占有されているスペクトルから分離するために周波数分割多重方式が必要とされる。従って、ＰＯＴＳサービスを同じツイスト・ペア・ケーブル上でＤＭＴシステムと接続するための通信システムはしられているが、２つのＤＭＴトランシーバを同じツイスト・ペア・ケーブル上の中央局に接続させる方式は知られていない。
【０００７】
同じツイスト・ペア・ケーブル上で中央局に２つ以上のＤＭＴトランシーバを接続すると一般家庭など、ＰＯＴＳのための回線がすでに設置されている場所に対してはより有利になる可能性がある。現在の段階で、２つのＤＭＴトランシーバが同じツイスト・ペア・ケーブル上で中央局に接続された場合は、２つのＤＭＴ信号間に干渉が起きて、中央局との通信ができなくなってしまう可能性がある。
【０００８】
従って、同じケーブル上で２つのＤＭＴトランシーバを中央局に接続できるようにするＤＭＴ通信システムが必要である。
【０００９】
【課題を解決するための手段】
本発明によれば、データ送信活性を感知し、又データ送信活性が感知されないばあいは上記選択された遠隔端末からのデータを送信することによって、ＤＭＴシステムにおける複数の遠隔端末から選ばれた１つの選択された遠隔端末を中央局に接続することができる。上記複数の遠隔端末は１つのノードで一緒に接続して、そのノードを電話線などのケーブルを通じてその中央局に接続することができる。選択された遠隔端末は上記中央局と上記複数の遠隔端末のうちの別のものとの間のデータ送信活性を感知する。そして選択された遠隔端末はその中央局と選択された遠隔端末のうちのべつのものとの間にデータ送信活性が感知されない場合にデータを送信する。
【００１０】
本発明の別の側面で、ＤＭＴシステムは中央局に接続された選択された遠隔端末を含んでおり、この選択された遠隔端末は個別マルチ・トーン・トランシーバとその個別マルチ・トーン・トランシーバからのデータの送信を制御する制御装置を含んでいる。この個別マルチ・トーン・トランシーバは上記中央局からのデータを受信し、個別マルチ・トーン・トランシーバは電話線などのケーブルを通じて上記中央局にデータを送信する。制御装置は中央局と別の遠隔端末との間のデータ送信活性に応じて個別マルチ・トーン・トランシーバからのデータの送信を制御する。
【００１１】
【発明の実施の形態】
図１はノード２０で一緒に接続された複数の遠隔端末１４及び１６を有するＤＭＴシステムを示している。図１はさらに、中央局（ＣＯ）１２がノード２０を通じて遠隔端末１４、１６に接続できることを示している。ＣＯ１２は通常ツイスト・ペア電話線などのようなケーブルを通じてノード２０に接続されている。図２は上記選択された遠隔端末からデータを送信する方法を示すフロー・チャートである。特に、遠隔端末１４はＣＯ１２とノード２０に接続された別の遠隔端末（例えば、端間１６）との間のデータ送信活性を感知する。ＣＯ１２と遠隔端末１６との間でデータ送信活性が感知されない場合は遠隔端末１４はデータ送信も行う。
【００１２】
さらに図１で、電話１８がノード２０に接続された状態で示されている。本発明によれば、遠隔端末１４、１６及び電話１８を相互のデータ送信を干渉し合わないでノード２０に同時に接続することができる。一般的に言えば、遠隔端末１４及び１６だけが、そのチャンネルが不活性な場合にデータを通信チャンネル上に送ることができる。ＤＭＴシステム内の各遠隔端末はそのチャンネルが別の遠隔端末によって利用されていないかどうかを感知することができる。チャンネルが利用されていれば、送信は延期される。下に図３を参照して述べるように、ＰＯＴＳはそれら遠隔端末１４及び１６が利用しているのとは別の周波数帯域を利用しているので、電話線が遠隔端末に干渉することはない。
【００１３】
図２は図１のＤＭＴシステム内の遠隔端末からデータを送信する場合のフロー・チャートである。このフロー・チャートは第二のグループのステップ３３と入れ替えることができる。第一のグループのステップ３１はステップ３２、３４、及び３６を含んでいる。第二のグループのステップ３３はステップ３８、４０、４２及び４４を含んでいる。第一のグループのステップ３１はＣＯ１２と別の遠隔端末１６との間に送信活性が起きているかどうかをビジー・トーン信号をモニタリングすることで判定する。第二のグループのステップ３３はＣＯ１２と別の遠隔端末との間の送信活性が起きているかどうかをすでにその通信チャンネル上にある電力スペクトル密度をモニタリングすることで判定する。本発明によれば、選択された遠隔端末１４はＣＯと別の遠隔端末との間のデータ送信活性を第一のグループのステップ３１と同様にビジー・トーンをモニタリングするか、第二のグループのステップ３３のように電力スペクトル密度をモニタリングするか、あるいはビジー・トーンと電力スペクトル密度の両方をモニタリングするかのいずれかの方法で感知することができる。
【００１４】
ステップ３２で、選択された遠隔端末１４は現在ビジー・トーンがアップストリーム帯域幅にあるのか、あるいはビジー・トーンがダウンストリーム帯域幅に存在しているのかを識別することによって送信活性を感知する。選択された遠隔端末は１つのビジー・トーンを通常ビジー・トーンと呼ばれる予め選択されたトーンの信号をビジー・トーン閾値と比較することによってビジー・トーンが存在しているかどうかを識別することができる。ステップ３４で、遠隔端末１４はビジー・トーンが検出されたかどうかに基づいて判断を下す。ビジー・トーンが検出さえなければ、処理はステップ３８に移る。ビジー・トーンが検出されれば、処理はステップ３６に進む。
【００１５】
ステップ３６で、ビジー・トーンがそのチャンネルがすでに使用中であることを示したとする。従って、ステップ３６で選択された遠隔端末１４による送信は延期され、タイミングの再調整が行われる。選択された遠隔端末からのデータはランダムに決められる待機時間後に再送信することができる。ステップ３６が終了すると、処理はステップ３２に戻る。
【００１６】
ステップ３８で、遠隔端末１４は先行技術でよく知られている技術を用いてアップ−ストリーム及びダウン−ストリーム両方の周波数帯域の電力スペクトル密度を判定する。ステップ４０で、遠隔端末１４は判定された電力スペクトル密度を送信閾値と比較する。送信閾値はＣＯ１２とノード２０との間のチャンネルの活性を示す値を有している。判定された電力スペクトル密度がこの閾値より低い場合は、このチャンネルにはノイズしか存在していないこと、そして、その電力スペクトル密度が閾値より高い場合は、チャンネルが使用中であることを示す。
【００１７】
ステップ４２で、遠隔端末は判定された電力スペクトル密度が閾値を越えているかどうかに基づいて、処理の進め方を決める。電力スペクトル密度が閾値以下であれば、処理はステップ４６に進む。電力スペクトル密度が閾値より大きければ、処理はステップ４４に進む。
【００１８】
ステップ４４で、電力スペクトル密度のレベルがそのチャンネルは現在使用中であることを示したとしよう。従って、ステップ４４で選択された遠隔端末１４による送信が延期されて、タイミングが再調整される。データはランダムに決められる待機時間後に再送信することができる。
【００１９】
ステップ４６で、チャンネルが現在使われていないので選択された遠隔端末１４は中央局１２にデータを送信する。ステップ４６が完了したら、処理はステップ４８に進み、処理は終了する。
【００２０】
図３は図１０のＤＭＴシステム１０における周波数密度使用の例を示すグラフである。周波数は図３の縦軸に沿ってプロットしてある。図に示すように、ＰＯＴＳ通信は４ＫＨｚ以下の周波数帯域を利用し、ＤＭＴシステムのためのアップ−ストリーム・チャンネルは２５−５０ＫＨｚの周波数帯域を占有し、ダウン−ストリーム・チャンネルの方は５０−１１０４ＫＨｚの周波数帯域を占有する。図示された周波数帯域は、無数にある周波数スペースの分割方式のうちの１つの可能な分割方法を示したものに過ぎない。
【００２１】
アップ−ストリーム・ビジー・トーンはアップ−ストリームＤＭＴチャンネルで識別され、ダウン−ストリーム・ビジー・トーンはダウン−ストリームＤＭＴチャンネルで識別される。アップ−ストリーム及びダウン−ストリーム・ビジー・トーンのための周波数帯域を用いて、１つの遠隔端末とＣＯ１２間のチャンネル使用状態を調べることができる。例えば、１つの遠隔端末がそのチャンネルをうまく制御できれば、それはそのチャンネルを通じて送信を行う度にアップ−ストリーム・ビジー・トーン帯域でビジー・トーンを送信する。同様の方法で、ＣＯはそのチャンネルを通じて送信を行う度にダウン−ストリーム・ビジー・トーン周波数でビジー・トーンを送信することになる。このようにして、ビジー・トーン周波数帯域で送信された信号は他の端末に対してそのチャンネルが使用中であることを知らせるために用いることができる。
【００２２】
図４は図１に示す遠隔端末１４の詳細構成図である。遠隔端末１４は個別マルチ・トーン・トランシーバ６０、制御装置６２、及びユーザー６４を含んでいる。トランシーバ６０はツイスト・ペア電話線などのケーブルを通じて、ＣＯ１２との間でデータをやりとりする。制御装置６２はＣＯ１２と別の遠隔端末１６との間の送信活性に応じてトランシーバ６０からのデータの送信を制御する。ユーザー６４はそのトランシーバ及び制御装置に接続されたホスト装置を示しており、代表的なホスト装置はパーソナル・コンピュータである。
【００２３】
トランシーバ６０は選択された遠隔端末をＣＯに結合させるための複合回路８８を含んでいる。この複合回路は遠隔装置とＣＯとの間の全二重送信を可能にする。全二重システムにおいては、１つ又は複数の端末が同時に送受信を行うことができる。この二重通信チャンネルは、通常は周波数分割を用いて両方向に信号を送受信する多重回線又はケーブル、あるいは単線又はケーブルであってもよい。
【００２４】
複合回路は基本的には電気的ブリッジで、その電気的ブリッジが釣り合うと、送信パスからの小さな信号だけが受信パスに戻される。この複合回路８８は通常アナログ回路で、従って、アナログ−デジタル・コンバータ８０及びデジタル−アナログ・コンバータ７２を通じてそのトランシーバの残りの部分に接続されている。この複合回路の具体例とさらなる詳細については、ＤＳＬ  Ｓｉｍｕｌａｔｉｏｎ  ｔｅｃｈｎｉｑｕｅｓ
ａｎｄ  Ｓｔａｎｄａｒｄｓ  Ｄｅｖｅｌｏｐｍｅｎｔ  ｆｏｒ  Ｄｉｇｉｔａｌ  Ｓｕｂｓｃｒｉｂｅｒ  Ｌｉｎｅ  Ｓｙｓｔｅｍ，  ｂｙ  Ｗａｌｔｅｒ  Ｙ．  Ｃｈｅｎ，  Ｍａｃｍｉｌｌａｎ  Ｔｅｃｈｎｏｌｏｇｙ  Ｓｅｒｉｅｓ，  １９９８に見出すことができ、その内容は参照することによって本明細書に組み込まれる。
【００２５】
トランシーバ６０は送信パスと受信パスを含んでいる。送信パスは、プレコーダ６６、ビット・マッパー６８、デジタル・フィルター７０、デジタル−アナログ・コンバータ（ここではＤＡＣと称す）、及びアナログ・フィルター７４を含んでいる。受信パスの方は、シンボル・リカバー・テーブル７６、イコライザ７８、アナログ−デジタル・コンバータ（ここではＡＤＣと称す）、オート・ゲイン、及びアナログ・フィルター８４を含んでいる。この複合装置は作動可能に送信パスと受信パスの両方に結合されている。
【００２６】
送信パスにおいては、上記プレコーダ６６とビット・マッパー６８がデータを送信のために適したフォーマットにする。例えば、プレコーダ６６は定期的重複コーディング、データ・スクランブリング、前方エラー接続、あるいはコンステレーション・エンコーディングなどのための機能部を含むことができる。デジタル・フィルター７０はユーザーからの時間に基づく信号を周波数に基づく信号に変換するための機能（例えば、逆個別フーリエ変換）を含むことができ、フィルター７０の法は入力データのスムージングを行うために用いることができる。ＤＡＣ７２はデジタル信号をアナログ信号に変換し、アナログ・フィルター７４は上記は複合装置８８によって送信される前にそのアナログ信号のスムージングを行う。
【００２７】
受信パスにおいて、アナログ・フィルター８４は上記複合装置８８からの受信信号をスムージングする。オート・ゲイン８２は入力信号のゲインを調節し、ＡＤＣは入力信号をアナログ信号からデジタル信号に変換する。イコライザ７８はチャンネル歪みを最少化する。理論的には、イコライザ７８は通信チャンネルの逆である周波数応答を有している。実際においては、イコライザ７８は通常デジタル適合性フィルターでインプリメントされる。イコライザは通常、その後にシンボル・リカバリー・テーブル７６が配置されている。シンボル・リカバリー・テーブルは送信されたデータを送信時のフォーマットから復元するために用いられる。
【００２８】
トランシーバはエコー・キャンセラー８６も含んでいる。このエコー・キャンセラーはプレコーダ６８の出力端からの入力信号を受信し、そしてエコー・キャンセラーはイコライザ７８によって受信される出力信号を発生させる。エコー・キャンセラーはトランシーバ６０の受信信号パス内に見出される送信信号（つまりエコー）の強度を減少させる。
【００２９】
ＤＭＴシステムのエコーは通常送信パスと受信パスが共に結合されている複合回路８８で起きる。弱い受信信号と比較して低い残留ノイズを維持するためには、
エコー・キャンセレーション・レベルは６０ｄＢ程度の高さにすることができる。
【００３０】
エコー・キャンセラーはエコー・パス、つまり複合回路８８と平行であることが必要である。エコー・キャンセラーはデジタル・フィルター、ＤＡＣ、送信アナログ・フィルター、複合回路、受信アナログ・フィルター、オート・ゲイン、及びＡＤＣなどを含むエコー・パスを合成する。このエコー・キャンセラーは同じ送信データを有するエコー・レプリカをつくりだすことができるが、ただ実際のエコーを打ち消すために反対の符号を有している。このエコー・キャンセラーの具体例とさらなる詳細については、ＤＳＬ  Ｓｉｍｕｌａｔｉｏｎ  ｔｅｃｈｎｉｑｕｅｓａｎｄ  Ｓｔａｎｄａｒｄｓ  Ｄｅｖｅｌｏｐｍｅｎｔ  ｆｏｒ  Ｄｉｇｉｔａｌ  Ｓｕｂｓｃｒｉｂｅｒ  Ｌｉｎｅ  Ｓｙｓｔｅｍ，  ｂｙ  Ｗａｌｔｅｒ  Ｙ．  Ｃｈｅｎ，  Ｍａｃｍｉｌｌａｎ  Ｔｅｃｈｎｏｌｏｇｙ  Ｓｅｒｉｅｓ，  １９９８に見出すことができ、その内容は参照することによって本明細書に組み込まれる。
【００３１】
図４の制御装置６２はユーザー６４、イコライザ７８、及びトランシーバ６０の受信パスと作動可能に結合されている。制御装置６２はその通信チャンネル上で感知されるデータ送信に応じて、トランシーバ６０からのデータの送信を制御する。制御装置６２がそのチャンネル上でデータ送信を感知すると、制御装置は選択された遠隔端末からのデータの送信を遅らせる。制御装置がチャンネルでデータ送信が行われていないことを感知すると、制御装置は選択された遠隔端末に送信を許可する。この制御装置は電子ハードウエア、ソフトウエア命令、あるいはハードウエアとソフトウエアの組み合わせによってインプリメントすることができる。
【００３２】
トランシーバ６０は受信パスを用いてそれが接続されている通信チャンネル上の活性をモニターする。その通信チャンネル上で送信されたデータはイコライザ７８で受信、フィルタリングされ、デジタル信号に変換される。イコライザ７８の入力端末上のデータ、又はイコライザ７８の出力端のデータはその通信チャンネル上の活性を識別するために制御装置によって用いることができる。制御装置６０はイコライザ７８の入力端又は出力端に作動可能に結合されている。
【００３３】
本発明の１つの側面で、制御装置６２はイコライザ７８の入力端又は出力端から受信されたデータを分析することでアップ−ストリーム又はダウン−ストリーム周波数帯域内にビジー・トーンが存在しているかどうかを識別する。この制御装置はビジー・トーンと呼ばれる予め選択された個別周波数トーン内に見出される信号を閾値レベルと比較することによってビジー・トーンを識別する。制御装置がビジー・トーンでの信号レベルが閾値を越えていると判定した場合は、制御装置はそのチャンネルが使用中であると判定する。
【００３４】
本発明の別の側面で、制御装置６２はアップ−ストリーム又はダウン−ストリーム周波数帯域内の電力スペクトル密度を分析することで、その通信チャンネルが別の遠隔端末によって使用中かどうかを識別する。この制御装置はイコライザ７８の入力端末又は出力端末からのアップ−ストリーム及びダウン−ストリーム周波数帯域内の信号を入手する。そして制御装置６２はアップ−ストリーム周波数帯域内の信号の電力スペクトル密度とダウン−ストリーム周波数帯域内の信号の電力スペクトル密度を先行技術でよく知られている技術を用いて判定する。その後、制御装置６２はそれらの信号の電力スペクトル密度を予め選択された閾値と比較する。制御装置がアップ−ストリーム周波数帯域かダウン−ストリーム周波数帯域のいずれかの電力スペクトル密度が閾値レベルを超えていると判定した場合は、制御装置はそのチャンネルが使用中であると判断する。
【００３５】
制御装置６２は選択された遠隔端末１４からのデータ送信を遅らせる機能を含んでいる。制御装置は一般的には、制御装置がＣＯ１２と別の遠隔端末１６との間の通信チャンネルが使用中であると判定した場合に、選択された遠隔端末１４からのデータ送信を延期する。本発明の他の特徴は遠隔端末１４からのデータ送信のタイミングを再調整する機能を提供する。一般的に、遠隔端末１４からの送信がランダムに決められる待機時間後に行われるようにタイミング調整が行われる。
【００３６】
本発明を具体的な実施の形態を参照して上に図示、説明したが、当業者であれば本発明の精神と範囲から逸脱せずに、形状や詳細に変更を行うことができることは容易に理解できるであろう。従って、この開示の具体的な内容は、先行技術において必要とされているものを除いて、本発明の発明の範囲に対する限定を意図するものではない。
【図面の簡単な説明】
【図１】本発明によるＤＭＴシステムを示す図。
【図２】図１のＤＭＴシステム内の遠隔端末からデータを送信する際のフロー・チャート。
【図３】図１のＤＭＴシステムにおける周波数スペクトル使用の例を示すグラフ。
【図４】図１に示す遠隔端末の詳細構成図。
【図１】
0003634727.tif 000002
【図２】
0003634727.tif 000003
【図３】
0003634727.tif 000004
【図４】
0003634727.tif 000005